(57)【要約】【課題】既存のＡＤＦを用いて給紙された複数部の文書に対し、文字認識によらずに文書の表紙を識別することが可能な画像処理装置、記録媒体、プログラム並びに画像処理方法を提供する。【解決手段】所定の帳票フォーマットを予め登録するＣＰＵ４０１及び記憶装置４０３と、帳票フォーマットにより作成された表紙、及び帳票フォーマットを除くフォーマットにより作成された複数の原稿を１部の文書とするとき、複数部の文書の画像を入力する画像入力装置４０４とを備え、画像入力装置４０４により入力された入力画像が、記憶装置４０３に登録された帳票フォーマットによる帳票の画像であると判断された場合に、当該入力画像の直前で入力画像群を区切ることにより、前記複数部の文書を１部ずつに分割する。【選択図】        図１
2004280654.tif 000002
【特許請求の範囲】
【請求項１】
所定の帳票フォーマットを予め登録する帳票フォーマット登録手段と、前記所定の帳票フォーマットにより作成された表紙、及び前記所定の帳票フォーマットを除くフォーマットにより作成された複数の原稿を１部の文書とするとき、複数部の文書の画像を先頭から一つずつ入力する画像入力手段と、前記画像入力手段により入力された入力画像が、前記帳票フォーマット登録手段に登録された帳票フォーマットによる帳票の画像であるか否かを判断する帳票フォーマット判断手段と、前記帳票フォーマット判断手段により、前記入力画像が前記帳票フォーマット登録手段に登録された帳票フォーマットによる帳票の画像であると判断された場合に、当該入力画像と一つ前の入力画像との間で前記文書の画像を区切ることにより、前記複数部の文書を１部ずつに分割する画像分割手段とを備えたことを特徴とする画像処理装置。
【請求項２】
所定の印影を予め登録する印影登録手段と、前記所定の印影が印された表紙、及び前記所定の印影が印されていない複数の原稿を１部の文書とするとき、複数部の文書の画像を先頭から一つずつ入力する画像入力手段と、前記画像入力手段により入力された入力画像に、前記印影登録手段に登録された印影が存在するか否かを判断する印影判断手段と、前記印影判断手段により前記印影登録手段に登録された印影が存在すると判断された場合に、当該入力画像の一つ前の入力画像との間で前記文書の画像を区切ることにより、前記複数部の文書の画像を１部ずつに分割する画像分割手段とを備えたことを特徴とする画像処理装置。
【請求項３】
所定の位置に穴が開くか、または所定の位置が欠切された表紙、及び、前記表紙の穴と同一位置に穴が開くか、または前記表紙の切欠位置と同一位置が欠切された複数の原稿を１部の文書とするとき、前記文書ごとに天地方向が逆転された複数部の文書の画像を先頭から一つずつ入力する画像入力手段と、前記画像入力手段により入力された入力画像の前記穴または前記切欠の位置を検出する検出手段と、前記検出手段により検出された第１の入力画像の前記穴または前記切欠の位置と、前記検出手段により検出された第２の入力画像の前記穴または前記切欠の位置とが同一であるか否かを判断する位置判断手段と、前記位置判断手段により、第１の入力画像の前記穴または前記切欠の位置と、第２の入力画像の前記穴または前記切欠の位置とが異なると判断された場合に、第２の入力画像の一つ前の入力画像との間で前記文書の画像を区切ることにより、前記複数部の文書の画像を１部ずつに分割する画像分割手段とを備えたことを特徴とする画像処理装置。
【請求項４】
コンピュータに、所定の帳票フォーマットを予め登録する第１のステップと、前記所定の帳票フォーマットにより作成された表紙、及び前記所定の帳票フォーマットを除くフォーマットにより作成された複数の原稿を１部の文書とするとき、複数部の文書の画像を先頭から一つずつ入力する第２のステップと、第２のステップで入力された入力画像が、第１のステップで登録された帳票フォーマットによる帳票の画像であるか否かを判断する第３のステップと、第３のステップで、前記入力画像が第１のステップで登録された帳票フォーマットによる帳票の画像であると判断された場合に、当該入力画像の一つ前の入力画像との間で前記文書の画像を区切ることにより、前記複数部の文書を１部ずつに分割する第４のステップとを実行させるためのプログラムを記録したコンピュータ読み取り可能な記録媒体。
【請求項５】
コンピュータに、所定の印影を予め登録する第１のステップと、前記所定の印影が印された表紙、及び前記所定の印影が印されていない複数の原稿を１部の文書とするとき、複数部の文書の画像を先頭から一つずつ入力する第２のステップと、第２のステップで入力された入力画像に、第１のステップで登録された印影が存在するか否かを判断する第３のステップと、第３のステップで、第１のステップで登録された印影が存在すると判断された場合に、当該入力画像の一つ前の入力画像との間で前記文書の画像を区切ることにより、前記複数部の文書の画像を１部ずつに分割する第４のステップとを実行させるためのプログラムを記録したコンピュータ読み取り可能な記録媒体。
【請求項６】
コンピュータに、所定の位置に穴が開くか、または所定の位置が欠切された表紙、及び、前記表紙の穴と同一位置に穴が開くか、または前記表紙の切欠位置と同一位置が欠切された複数の原稿を１部の文書とするとき、前記文書ごとに天地方向が逆転された複数部の文書の画像を先頭から一つずつ入力する第１のステップと、第１のステップで入力された入力画像の前記穴または前記切欠の位置を検出する第２のステップと、第２のステップで検出された第１の入力画像の前記穴または前記切欠の位置と、第２の入力画像の前記穴または前記切欠の位置とが同一であるか否かを判断する第３のステップと、第３のステップで、第１の入力画像の前記穴または前記切欠の位置と、第２の入力画像の前記穴または前記切欠の位置とが異なると判断された場合に、第２の入力画像の一つ前の入力画像との間で前記文書の画像を区切ることにより、前記複数部の文書の画像を１部ずつに分割する第４のステップとを実行させるためのプログラムを記録したコンピュータ読み取り可能な記録媒体。
【請求項７】
コンピュータに、所定の帳票フォーマットを予め登録する第１のステップと、前記所定の帳票フォーマットにより作成された表紙、及び前記所定の帳票フォーマットを除くフォーマットにより作成された複数の原稿を１部の文書とするとき、複数部の文書の画像を先頭から一つずつ入力する第２のステップと、第２のステップで入力された入力画像が、第１のステップで登録された帳票フォーマットによる帳票の画像であるか否かを判断する第３のステップと、第３のステップで、前記入力画像が第１のステップで登録された帳票フォーマットによる帳票の画像であると判断された場合に、当該入力画像の一つ前の入力画像との間で前記文書の画像を区切ることにより、前記複数部の文書を１部ずつに分割する第４のステップとを実行させるためのプログラム。
【請求項８】
コンピュータに、所定の印影を予め登録する第１のステップと、前記所定の印影が印された表紙、及び前記所定の印影が印されていない複数の原稿を１部の文書とするとき、複数部の文書の画像を先頭から一つずつ入力する第２のステップと、第２のステップで入力された入力画像に、第１のステップで登録された印影が存在するか否かを判断する第３のステップと、第３のステップで、第１のステップで登録された印影が存在すると判断された場合に、当該入力画像の一つ前の入力画像との間で前記文書の画像を区切ることにより、前記複数部の文書の画像を１部ずつに分割する第４のステップとを実行させるためのプログラム。
【請求項９】
コンピュータに、所定の位置に穴が開くか、または所定の位置が欠切された表紙、及び、前記表紙の穴と同一位置に穴が開くか、または前記表紙の切欠位置と同一位置が欠切された複数の原稿を１部の文書とするとき、前記文書ごとに天地方向が逆転された複数部の文書の画像を先頭から一つずつ入力する第１のステップと、第１のステップで入力された入力画像の前記穴または前記切欠の位置を検出する第２のステップと、第２のステップで検出された第１の入力画像の前記穴または前記切欠の位置と、第２の入力画像の前記穴または前記切欠の位置とが同一であるか否かを判断する第３のステップと、第３のステップで、第１の入力画像の前記穴または前記切欠の位置と、第２の入力画像の前記穴または前記切欠の位置とが異なると判断された場合に、第２の入力画像の一つ前の入力画像との間で前記文書の画像を区切ることにより、前記複数部の文書の画像を１部ずつに分割する第４のステップとを実行させるためのプログラム。
【請求項１０】
所定の帳票フォーマットを予め登録する第１のステップと、前記所定の帳票フォーマットにより作成された表紙、及び前記所定の帳票フォーマットを除くフォーマットにより作成された複数の原稿を１部の文書とするとき、複数部の文書の画像を先頭から一つずつ入力する第２のステップと、第２のステップで入力された入力画像が、第１のステップで登録された帳票フォーマットによる帳票の画像であるか否かを判断する第３のステップと、第３のステップで、前記入力画像が第１のステップで登録された帳票フォーマットによる帳票の画像であると判断された場合に、当該入力画像の一つ前の入力画像との間で前記文書の画像を区切ることにより、前記複数部の文書を１部ずつに分割する第４のステップとを実行することを特徴とする画像処理方法。
【請求項１１】
所定の印影を予め登録する第１のステップと、前記所定の印影が印された表紙、及び前記所定の印影が印されていない複数の原稿を１部の文書とするとき、複数部の文書の画像を先頭から一つずつ入力する第２のステップと、第２のステップで入力された入力画像に、第１のステップで登録された印影が存在するか否かを判断する第３のステップと、第３のステップで、第１のステップで登録された印影が存在すると判断された場合に、当該入力画像の一つ前の入力画像との間で前記文書の画像を区切ることにより、前記複数部の文書の画像を１部ずつに分割する第４のステップとを実行することを特徴とする画像処理方法。
【請求項１２】
所定の位置に穴が開くか、または所定の位置が欠切された表紙、及び、前記表紙の穴と同一位置に穴が開くか、または前記表紙の切欠位置と同一位置が欠切された複数の原稿を１部の文書とするとき、前記文書ごとに天地方向が逆転された複数部の文書の画像を先頭から一つずつ入力する第１のステップと、第１のステップで入力された入力画像の前記穴または前記切欠の位置を検出する第２のステップと、第２のステップで検出された第１の入力画像の前記穴または前記切欠の位置と、第２の入力画像の前記穴または前記切欠の位置とが同一であるか否かを判断する第３のステップと、第３のステップで、第１の入力画像の前記穴または前記切欠の位置と、第２の入力画像の前記穴または前記切欠の位置とが異なると判断された場合に、第２の入力画像の一つ前の入力画像との間で前記文書の画像を区切ることにより、前記複数部の文書の画像を１部ずつに分割する第４のステップとを実行することを特徴とする画像処理方法。
【発明の詳細な説明】
【０００１】
【発明の属する技術分野】
本発明は、複数部の文書を電子化して、文書ごとに蓄積する画像処理装置、記録媒体、プログラム並びに画像処理方法に関するものである。
【０００２】
【従来の技術】
従来の画像処理装置は、文書画像の特定一部分を文字認識し、その結果により表紙の判定を行っている（例えば、特許文献１参照）。
【０００３】
また、１部の文書ごとに原稿を９０度回転させて自動原稿搬送装置（以下、ＡＤＦという）にセットし、原稿方向の変化する部分を検出することで、複数部の文書を一括スキャンした場合でも、文書ごとに画像データをまとめて保存しているものもある（例えば、特許文献２参照）。
【０００４】
また、複数部の文書を読取るとき、文書間に仕切り紙を挿入しておき、この仕切り紙を検出することによって、入力画像を複数部の文書に分割しているものもある（例えば、特許文献３参照）。
【０００５】
さらに、文書の最終頁の原稿裏面などに文書区切り用のマークを付けておき、このマークを検出することによって、複数部の文書を文書単位で記憶しているものもある（例えば、特許文献４参照）。
【０００６】
【特許文献１】
特開平５‐２７４３６５号公報（図３、図４）
【０００７】
【特許文献２】
特開平７‐１９２１０９号公報（図３）
【０００８】
【特許文献３】
特開平６‐２８４２５９号公報（図４）
【０００９】
【特許文献４】
特開平７‐２８７７４７号公報（図４）
【００１０】
【発明が解決しようとする課題】
しかしながら、「特許文献１」のような従来の画像処理装置では、文字認識の精度は原稿、画像の品質に大きく影響を受けるために、スキャン時の位置ずれや、文字の誤認識により表紙を検出し損ねるという問題があった。
【００１１】
また、「特許文献２」のような従来の画像処理装置では、ＡＤＦにセットする原稿の方向を１部の文書ごとに９０度変更したとき、原稿を安定してスキャンすることが困難であり、搬送スキューなどが生じて画像品質が低下するという問題があった。なお、「特許文献２」では、ＡＤＦに新たなガイドを設けることで原稿を安定的に供給する方法についても言及されているが、装置の設計変更となるために、コストアップなどの問題が生じる。
【００１２】
さらには、「特許文献３」のような従来の画像処理装置では、文書の間に仕切り紙を挿入するという作業が必要になる。また、「特許文献４」のような従来の画像処理装置では、原稿にマークを付ける作業が必要になる。
【００１３】
本発明は、このような問題を解決するためになされたもので、既存のＡＤＦを用いて給紙された複数部の文書に対し、文字認識によらずに文書の表紙を識別することが可能な画像処理装置、記録媒体、プログラム並びに画像処理方法を提供するものである。
【００１４】
【課題を解決するための手段】
請求項１に係る本発明の画像処理装置は、所定の帳票フォーマットを予め登録する帳票フォーマット登録手段と、前記所定の帳票フォーマットにより作成された表紙、及び前記所定の帳票フォーマットを除くフォーマットにより作成された複数の原稿を１部の文書とするとき、複数部の文書の画像を先頭から一つずつ入力する画像入力手段と、前記画像入力手段により入力された入力画像が、前記帳票フォーマット登録手段に登録された帳票フォーマットによる帳票の画像であるか否かを判断する帳票フォーマット判断手段と、前記帳票フォーマット判断手段により、前記入力画像が前記帳票フォーマット登録手段に登録された帳票フォーマットによる帳票の画像であると判断された場合に、当該入力画像の一つ前の入力画像との間で前記文書の画像を区切ることにより、前記複数部の文書を１部ずつに分割する画像分割手段とを備えた構成を有している。
【００１５】
この構成により、表紙が所定の帳票である複数部の文書を、前記表紙により１部ずつに分割するので、複数部の文書を容易に電子化して文書ごとに蓄積できることとなる。
【００１６】
また、請求項２に係る本発明の画像処理装置は、所定の印影を予め登録する印影登録手段と、前記所定の印影が印された表紙、及び前記所定の印影が印されていない複数の原稿を１部の文書とするとき、複数部の文書の画像を先頭から一つずつ入力する画像入力手段と、前記画像入力手段により入力された入力画像に、前記印影登録手段に登録された印影が存在するか否かを判断する印影判断手段と、前記印影判断手段により前記印影登録手段に登録された印影が存在すると判断された場合に、当該入力画像の一つ前の入力画像との間で前記文書の画像を区切ることにより、前記複数部の文書の画像を１部ずつに分割する画像分割手段とを備えた構成を有している。
【００１７】
この構成により、表紙に所定の印影（マーク）が印された複数部の文書を、前記表紙により１部ずつに分割するので、複数部の文書を容易に電子化して文書ごとに蓄積できることとなる。
【００１８】
さらに、請求項３に係る本発明の画像処理装置は、所定の位置に穴が開くか、または所定の位置が欠切された表紙、及び、前記表紙の穴と同一位置に穴が開くか、または前記表紙の切欠位置と同一位置が欠切された複数の原稿を１部の文書とするとき、前記文書ごとに天地方向が逆転された複数部の文書の画像を先頭から一つずつ入力する画像入力手段と、前記画像入力手段により入力された入力画像の前記穴または前記切欠の位置を検出する検出手段と、前記検出手段により検出された第１の入力画像の前記穴または前記切欠の位置と、前記検出手段により検出された第２の入力画像の前記穴または前記切欠の位置とが同一であるか否かを判断する位置判断手段と、前記位置判断手段により、第１の入力画像の前記穴または前記切欠の位置と、第２の入力画像の前記穴または前記切欠の位置とが異なると判断された場合に、第２の入力画像の一つ前の入力画像との間で前記文書の画像を区切ることにより、前記複数部の文書の画像を１部ずつに分割する画像分割手段とを備えた構成を有している。
【００１９】
この構成により、表紙の所定位置に穴や切欠のある複数部の文書を、前記表紙により１部ずつに分割するので、複数部の文書を容易に電子化して文書ごとに蓄積できることとなる。
【００２０】
請求項４に係る本発明の記録媒体は、コンピュータに、所定の帳票フォーマットを予め登録する第１のステップと、前記所定の帳票フォーマットにより作成された表紙、及び前記所定の帳票フォーマットを除くフォーマットにより作成された複数の原稿を１部の文書とするとき、複数部の文書の画像を先頭から一つずつ入力する第２のステップと、第２のステップで入力された入力画像が、第１のステップで登録された帳票フォーマットによる帳票の画像であるか否かを判断する第３のステップと、第３のステップで、前記入力画像が第１のステップで登録された帳票フォーマットによる帳票の画像であると判断された場合に、当該入力画像の一つ前の入力画像との間で前記文書の画像を区切ることにより、前記複数部の文書を１部ずつに分割する第４のステップとを実行させるためのプログラムを記録している。
【００２１】
この記録媒体により、前述したように、表紙が所定の帳票である複数部の文書を、前記表紙により１部ずつに分割するので、複数部の文書を容易に電子化して文書ごとに蓄積できることとなる。
【００２２】
また、請求項５に係る本発明の記録媒体は、コンピュータに、所定の印影を予め登録する第１のステップと、前記所定の印影が印された表紙、及び前記所定の印影が印されていない複数の原稿を１部の文書とするとき、複数部の文書の画像を先頭から一つずつ入力する第２のステップと、第２のステップで入力された入力画像に、第１のステップで登録された印影が存在するか否かを判断する第３のステップと、第３のステップで、第１のステップで登録された印影が存在すると判断された場合に、当該入力画像の一つ前の入力画像との間で前記文書の画像を区切ることにより、前記複数部の文書の画像を１部ずつに分割する第４のステップとを実行させるためのプログラムを記録している。
【００２３】
この記録媒体により、前述したように、表紙に所定の印影（マーク）が印された複数部の文書を、前記表紙により１部ずつに分割するので、複数部の文書を容易に電子化して文書ごとに蓄積できることとなる。
【００２４】
さらに、請求項６に係る本発明の記録媒体は、コンピュータに、所定の位置に穴が開くか、または所定の位置が欠切された表紙、及び、前記表紙の穴と同一位置に穴が開くか、または前記表紙の切欠位置と同一位置が欠切された複数の原稿を１部の文書とするとき、前記文書ごとに天地方向が逆転された複数部の文書の画像を先頭から一つずつ入力する第１のステップと、第１のステップで入力された入力画像の前記穴または前記切欠の位置を検出する第２のステップと、第２のステップで検出された第１の入力画像の前記穴または前記切欠の位置と、第２の入力画像の前記穴または前記切欠の位置とが同一であるか否かを判断する第３のステップと、第３のステップで、第１の入力画像の前記穴または前記切欠の位置と、第２の入力画像の前記穴または前記切欠の位置とが異なると判断された場合に、第２の入力画像の一つ前の入力画像との間で前記文書の画像を区切ることにより、前記複数部の文書の画像を１部ずつに分割する第４のステップとを実行させるためのプログラムを記録している。
【００２５】
この記録媒体により、前述したように、表紙の所定位置に穴や切欠のある複数部の文書を、前記表紙により１部ずつに分割するので、複数部の文書を容易に電子化して文書ごとに蓄積できることとなる。
【００２６】
請求項７に係る本発明のプログラムは、コンピュータに、所定の帳票フォーマットを予め登録する第１のステップと、前記所定の帳票フォーマットにより作成された表紙、及び前記所定の帳票フォーマットを除くフォーマットにより作成された複数の原稿を１部の文書とするとき、複数部の文書の画像を先頭から一つずつ入力する第２のステップと、第２のステップで入力された入力画像が、第１のステップで登録された帳票フォーマットによる帳票の画像であるか否かを判断する第３のステップと、第３のステップで、前記入力画像が第１のステップで登録された帳票フォーマットによる帳票の画像であると判断された場合に、当該入力画像の一つ前の入力画像との間で前記文書の画像を区切ることにより、前記複数部の文書を１部ずつに分割する第４のステップとを実行させている。
【００２７】
このプログラムにより、前述したように、表紙が所定の帳票である複数部の文書を、前記表紙により１部ずつに分割するので、複数部の文書を容易に電子化して文書ごとに蓄積できることとなる。
【００２８】
また、請求項８に係る本発明のプログラムは、コンピュータに、所定の印影を予め登録する第１のステップと、前記所定の印影が印された表紙、及び前記所定の印影が印されていない複数の原稿を１部の文書とするとき、複数部の文書の画像を先頭から一つずつ入力する第２のステップと、第２のステップで入力された入力画像に、第１のステップで登録された印影が存在するか否かを判断する第３のステップと、第３のステップで、第１のステップで登録された印影が存在すると判断された場合に、当該入力画像の一つ前の入力画像との間で前記文書の画像を区切ることにより、前記複数部の文書の画像を１部ずつに分割する第４のステップとを実行させている。
【００２９】
このプログラムにより、前述したように、表紙に所定の印影（マーク）が印された複数部の文書を、前記表紙により１部ずつに分割するので、複数部の文書を容易に電子化して文書ごとに蓄積できることとなる。
【００３０】
さらに、請求項９に係る本発明のプログラムは、コンピュータに、所定の位置に穴が開くか、または所定の位置が欠切された表紙、及び、前記表紙の穴と同一位置に穴が開くか、または前記表紙の切欠位置と同一位置が欠切された複数の原稿を１部の文書とするとき、前記文書ごとに天地方向が逆転された複数部の文書の画像を先頭から一つずつ入力する第１のステップと、第１のステップで入力された入力画像の前記穴または前記切欠の位置を検出する第２のステップと、第２のステップで検出された第１の入力画像の前記穴または前記切欠の位置と、第２の入力画像の前記穴または前記切欠の位置とが同一であるか否かを判断する第３のステップと、第３のステップで、第１の入力画像の前記穴または前記切欠の位置と、第２の入力画像の前記穴または前記切欠の位置とが異なると判断された場合に、第２の入力画像の一つ前の入力画像との間で前記文書の画像を区切ることにより、前記複数部の文書の画像を１部ずつに分割する第４のステップとを実行させている。
【００３１】
このプログラムにより、前述したように、表紙の所定位置に穴や切欠のある複数部の文書を、前記表紙により１部ずつに分割するので、複数部の文書を容易に電子化して文書ごとに蓄積できることとなる。
【００３２】
請求項１０に係る本発明の画像処理方法は、所定の帳票フォーマットを予め登録する第１のステップと、前記所定の帳票フォーマットにより作成された表紙、及び前記所定の帳票フォーマットを除くフォーマットにより作成された複数の原稿を１部の文書とするとき、複数部の文書の画像を先頭から一つずつ入力する第２のステップと、第２のステップで入力された入力画像が、第１のステップで登録された帳票フォーマットによる帳票の画像であるか否かを判断する第３のステップと、第３のステップで、前記入力画像が第１のステップで登録された帳票フォーマットによる帳票の画像であると判断された場合に、当該入力画像の一つ前の入力画像との間で前記文書の画像を区切ることにより、前記複数部の文書を１部ずつに分割する第４のステップとを実行している。
【００３３】
この方法により、前述したように、表紙が所定の帳票である複数部の文書を、前記表紙により１部ずつに分割するので、複数部の文書を容易に電子化して文書ごとに蓄積できることとなる。
【００３４】
また、請求項１１に係る本発明の画像処理方法は、所定の印影を予め登録する第１のステップと、前記所定の印影が印された表紙、及び前記所定の印影が印されていない複数の原稿を１部の文書とするとき、複数部の文書の画像を先頭から一つずつ入力する第２のステップと、第２のステップで入力された入力画像に、第１のステップで登録された印影が存在するか否かを判断する第３のステップと、第３のステップで、第１のステップで登録された印影が存在すると判断された場合に、当該入力画像の一つ前の入力画像との間で前記文書の画像を区切ることにより、前記複数部の文書の画像を１部ずつに分割する第４のステップとを実行している。
【００３５】
この方法により、前述したように、表紙に所定の印影（マーク）が印された複数部の文書を、前記表紙により１部ずつに分割するので、複数部の文書を容易に電子化して文書ごとに蓄積できることとなる。
【００３６】
さらに、請求項１２に係る本発明の画像処理方法は、所定の位置に穴が開くか、または所定の位置が欠切された表紙、及び、前記表紙の穴と同一位置に穴が開くか、または前記表紙の切欠位置と同一位置が欠切された複数の原稿を１部の文書とするとき、前記文書ごとに天地方向が逆転された複数部の文書の画像を先頭から一つずつ入力する第１のステップと、第１のステップで入力された入力画像の前記穴または前記切欠の位置を検出する第２のステップと、第２のステップで検出された第１の入力画像の前記穴または前記切欠の位置と、第２の入力画像の前記穴または前記切欠の位置とが同一であるか否かを判断する第３のステップと、第３のステップで、第１の入力画像の前記穴または前記切欠の位置と、第２の入力画像の前記穴または前記切欠の位置とが異なると判断された場合に、第２の入力画像の一つ前の入力画像との間で前記文書の画像を区切ることにより、前記複数部の文書の画像を１部ずつに分割する第４のステップとを実行している。
【００３７】
この方法により、前述したように、表紙の所定位置に穴や切欠のある複数部の文書を、前記表紙により１部ずつに分割するので、複数部の文書を容易に電子化して文書ごとに蓄積できることとなる。
【００３８】
【発明の実施の形態】
以下、本発明の実施の形態について、図面を用いて説明する。
［第１の実施形態］
図１は、本発明の第１の実施形態に係る画像処理装置を示す。これは、パーソナルコンピュータなどの汎用処理装置を用いて本発明の画像処理装置を構成し、画像処理機能をソフトウェアによって実現したものである。
【００３９】
中央処理装置（以下、ＣＰＵという）４０１は、装置全体を制御し、本実施形態の画像処理機能を実現するものである。主記憶装置４０２は、ＲＯＭやＲＡＭなどで構成され、ＣＰＵ４０１の制御プログラムを記憶するとともに、この制御プログラムがＣＰＵ４０１によって実行されるときにー時的に作成される情報などを保持するものである。記憶装置４０３は、ハードディスクドライブ、ハードディスクなどからなり、このハードディスクに画像処理後の文書（表紙を含む入力画像）を記憶及び蓄積するものである。また、記憶装置４０３は、前記表紙画像及び入力画像を一時保持するための画像バッファメモリ（以下、「画像バッファ」ともいう）と、表紙を含む入力画像の画像データを文書ごとに蓄積するための「保存用メモリ」と、表紙の帳票フォーマットの画像データを登録するための「帳票フォーマット用メモリ」とを有している。なお、「帳票フォーマット用メモリ」は、主記憶装置４０２に設けてもよい。さらに、記憶装置４０３は、前記ハードディスクに記録された文書を読み込み、他の記憶装置へ格納するのに用いられる。画像入力装置４０４は、ＡＤＦを具備したスキャナなどで構成され、原稿（文書に含まれる）などの画像を読み取り、主記憶装置４０２へ格納するものである。入力装置４０８は、キーボード、マウス、タッチパネルなどで構成され、画像処理に関する情報（スキャナの操作情報を含む）の入力に用いられるものである。ＣＤ‐ＲＯＭドライブ４０５は、プログラムやデータなどを記録したＣＤ‐ＲＯＭ４０７を装着して読み込み、主記憶装置４０２へ格納するのに用いられる。出力装置４０６は、ＣＲＴ、液晶ディスプレイ（ＬＣＤ）、またはプリンタなどで構成され、画像入力装置４０４から入力された原画像、圧縮画像あるいは画像処理結果の２値画像などを表示、印刷するものである。ＣＤ‐ＲＯＭ４０７（記録媒体に含まれる）には、本実施形態の画像処理機能や処理手順を実現させるためのプログラムやデータなどが記録されている。ネットワーク接続装置４０９は、画像処理装置４００をインターネットなどのネットワークへ接続するものである。前述した装置４０１〜４０６、４０８、４０９は、バス４１０によって接続されている。
【００４０】
さらに、前述した記録媒体として、ＣＤ‐ＲＯＭ４０７の他に、半導体媒体（例えば、ＲＯＭ、ＩＣメモリカードなど）、光媒体（例えば、ディジタル・バーサタイル・ディスク（ＤＶＤ）、光磁気ディスク（ＭＯ）、ミニディスク（ＭＤ）、書き込み可能なＣＤ（ＣＤ‐Ｒ）など）、磁気媒体（例えば、磁気テープ、フレキシブルディスク（ＦＤ）など）などを用いてもよい。
【００４１】
また、前述した記録媒体からインストールされたプログラム、換言すれば、前述した記録媒体に記憶されたプログラムとしては、本実施形態の画像処理機能を実現するために用いられる画像処理プログラムがある。ここでは、画像処理プログラムを予めＣＤ‐ＲＯＭ４０７などの記録媒体に書き込んでおき、このＣＤ‐ＲＯＭ４０７などをＣＤ‐ＲＯＭドライブ４０５などの媒体駆動装置に装着して読み込み、前記画像処理プログラムを主記憶装置４０２に格納し、ＣＰＵ４０１が実行することによって、本実施形態の画像処理機能を実現するものである。さらに、画像処理プログラムが半導体の記録媒体に記録されている場合には、直接、主記憶装置４０２ヘロードされ、実行されることとなる。
【００４２】
なお、主記憶装置４０２へロードされた画像処理プログラムを実行することにより、本実施形態の画像処理機能が実現されるだけでなく、画像処理プログラムの指示に基づき、オペレーティングシステムなどが実際の処理の一部または全部を行い、その処理によって本実施形態の画像処理機能が実現されるようにしてもよい。
【００４３】
次に、本実施形態に係る画像処理プログラムを説明する。ここでは、図２のように、１部の文書１０ａ、１０ｂがそれぞれ複数枚の原稿からなり、それぞれの文書先頭の表紙１１ａ、１１ｂは所定の帳票フォーマット１２により作成されている。これらの文書１０ａ、１０ｂが天地左右を揃えて重ねられ、前記ＡＤＦによって給紙された複数部の文書１０ｃが処理対象である。前記画像処理プログラムには、帳票フォーマット登録プログラムと文書蓄積プログラムとが含まれる。前記画像処理プログラムは、ＣＰＵ４０１（コンピュータ装置に含まれる）に、図３、図４に示すステップを実行させるものである。
【００４４】
図３に示すように、帳票フォーマットを登録するときには、まず、ＣＰＵ４０１は、画像入力装置４０４により、登録対象の帳票フォーマットの画像を入力する（Ｓ１０１）。ここで入力された帳票フォーマットの画像データは、主記憶装置４０２に送出される。
【００４５】
次いで、ＣＰＵ４０１は、前記帳票フォーマットの画像データが記憶装置４０３の「帳票フォーマット用メモリ」に登録済みであるか否かを判断する（Ｓ１０２）。この判断が「ＹＥＳ」の場合は処理を終了し、「ＮＯ」の場合には前記帳票フォーマットの画像データを「帳票フォーマット用メモリ」に登録する（Ｓ１０３）。
【００４６】
ここで、Ｓ１０１〜Ｓ１０３は、請求項４、７、１０に記載の第１のステップに含まれる。
【００４７】
図４に示すように、文書ごとに画像データを蓄積するときには、まず、ＣＰＵ４０１は、前記「画像バッファ」を初期化する（Ｓ２０１）。
【００４８】
次いで、ＣＰＵ４０１は、一つの文書の全画像に対する画像処理が終了したか否かを判断する（Ｓ２０２）。この判断が「ＮＯ」の場合はＳ２０４に移り、「ＹＥＳ」の場合にはＳ２０３に移る。
【００４９】
Ｓ２０３では、一つの文書における全画像の画像処理が終了したことから、記憶装置４０３の画像バッファに保持されている表紙を含む入力画像群を、一つの文書として記憶装置４０３の保存用メモリに蓄積する。
【００５０】
Ｓ２０４では、画像入力装置４０４により、処理対象の画像を入力する。ここで入力された画像は主記憶装置４０２に送られる。
【００５１】
次いで、ＣＰＵ４０１は、Ｓ２０４で入力された画像が先頭頁か否かを判断する（Ｓ２０５）。この判断が「ＮＯ」の場合はＳ２０６に移り、「ＹＥＳ」の場合にはＳ２１２に移る。
【００５２】
Ｓ２０６では、記憶装置４０３の「帳票フォーマット用メモリ」に登録されている帳票フォーマットの画像を入力する。ここで入力された帳票フォーマットの画像は主記憶装置４０２に送られる。
【００５３】
次いで、ＣＰＵ４０１は、Ｓ２０４で取得された入力画像に、Ｓ２０６で取得された帳票フォーマットの画像が含まれるか否か、すなわち、Ｓ２０４で取得された入力画像の原稿が、Ｓ２０６で取得された帳票フォーマットによって作成されたものであるか否かを識別する（Ｓ２０７）。
【００５４】
具体的には、特開平１１‐０２５２１５号公報に開示されている帳票種識別方法を用いる。この帳票種識別方法により、所定の帳票の画像と入力画像との対応点を検出し、この対応点を座標変換する係数を求め、この係数を基に画像間の相違度を求めた後、前記帳票の画像を回転させた回転画像と前記入力画像との対応点を検出し、この対応点を座標変換する係数を求め、この係数を基に画像間の相違度を求め、両相違度の大きさによって入力画像が前記帳票か否かを識別することとなる。
【００５５】
次いで、ＣＰＵ４０１は、Ｓ２０７の識別結果によりＳ２０６で取得された帳票フォーマットが検出されたか否かを判断する（Ｓ２０８）。この判断が「ＮＯ」の場合はＳ２１０に移り、「ＹＥＳ」の場合にはＳ２０９に移る。
【００５６】
Ｓ２０９では、入力画像中に帳票フォーマットが検出されたことから、次の文書の表紙が入力されたと判断して、既に記憶装置４０３の画像バッファに保持されている表紙を含む入力画像群を、一つの文書として、記憶装置４０３の保存用メモリに蓄積する。
【００５７】
次いで、ＣＰＵ４０１は、記憶装置４０３の画像バッファ、保存用メモリを初期化する（Ｓ２１１）。
【００５８】
次いで、ＣＰＵ４０１は、Ｓ２０４で取得された入力画像を新たな文書の表紙画像として記憶装置４０３の画像バッファに保持する（Ｓ２１２）。
【００５９】
また、Ｓ２１０では、Ｓ２０６で取得された帳票フォーマットが入力画像中から検出されなかったために、表紙画像ではないと判断し、Ｓ２０４で取得された入力画像を記憶装置４０３の画像バッファに保持する。
【００６０】
ここで、Ｓ２０４は、請求項４、７、１０に記載の第２のステップに含まれる。Ｓ２０６〜Ｓ２０８は、請求項４、７、１０に記載の第３のステップに含まれる。Ｓ２０３、Ｓ２０９は、請求項４、７、１０に記載の第４のステップに含まれる。
【００６１】
以上のように、本発明の第１の実施形態に係る画像処理装置４００は、帳票フォーマット１２（所定の帳票フォーマットに含まれる）を予め登録するＣＰＵ４０１及び記憶装置４０３（帳票フォーマット登録手段に含まれる）と、帳票フォーマット１２により作成された表紙１１ａ、１１ｂ、及び帳票フォーマット１２を除くフォーマットにより作成された複数の原稿を１部の文書１０ａ、１０ｂとするとき、複数部の文書１０ｃの画像を先頭から一つずつ入力する画像入力装置４０４（画像入力手段に含まれる）と、画像入力装置４０４により入力された入力画像が、記憶装置４０３に登録された帳票フォーマット１２による帳票の画像であるか否かを判断するＣＰＵ４０１の機能（帳票フォーマット判断手段に含まれる）と、このＣＰＵ４０１の機能により、前記入力画像が記憶装置４０３に登録された帳票フォーマット１２による帳票の画像であると判断された場合に、当該入力画像の一つ前の入力画像との間で前記文書の画像を区切ることにより、前記複数部の文書を１部ずつに分割するＣＰＵ４０１の機能（画像分割手段に含まれる）とを備えているので、表紙のみを特定の帳票とすることにより、複数部の文書を一括して電子化し、文書ごとに蓄積することができる。
【００６２】
前述した実施形態では、Ｎ部の文書を文書ごとに蓄積するとき、１枚目の画像は第１部の先頭頁（表紙）とし、２枚目以降の画像から特定の帳票（予め登録されたフォーマットの帳票）が検出されると、第２部の先頭頁（表紙）として、第１部の先頭頁から第２部の先頭頁の１頁前までの画像群を第１部の文書として保存用メモリに蓄積している。同様にして全画像に対する処理が終了すると、第Ｎ部の先頭頁から最終頁までを第Ｎ部として保存用メモリに蓄積している。このような一連の処理により、複数の原稿からなる複数部の文書を効率的に電子化して文書ごとに蓄積できる。
【００６３】
なお、前述した実施形態では表紙を含む入力画像群を文書ごとに画像処理装置４００の記憶装置４０３に記憶及び蓄積した場合について説明したが、本発明はこのほかに、ネットワークを介し、前記入力画像群を外部のサーバに記憶及び蓄積しても同様の効果が得られるものである。
【００６４】
［第２の実施形態］
本発明の第２の実施形態に係る画像処理装置は、記憶装置４０３（または、主記憶装置４０２）に「印影用メモリ」を有する点を除き、第１の実施形態と概ね同様の構成を有しているため、図１を用いるとともに、同一構成には同一符号を付与して説明を省略する。ここでは、図５のように、１部の文書２０ａ、２０ｂがそれぞれ複数枚の原稿からなり、それぞれの文書先頭の表紙２１ａ、２１ｂには共通の印影２２が押捺されている。これらの文書２０ａ、２０ｂが天地左右を揃えて重ねられ、前記ＡＤＦによって給紙された複数部の文書２０ｃが処理対象である。
【００６５】
図６、図７は、本発明の第２の実施形態に係る画像処理プログラムの概略を示す。この画像処理プログラムには、印影登録プログラムと文書蓄積プログラムとが含まれる。前記画像処理プログラムは、ＣＰＵ４０１（コンピュータ装置に含まれる）に、図６、図７に示すステップを実行させるものである。なお、第１の実施形態（図３、図４に示す）と同一ステップには、同一符号を付与して説明を簡略にする。
【００６６】
図６に示すように、印影を登録するときには、まず、ＣＰＵ４０１は、画像入力装置４０４により、登録対象の印影の画像を入力する（Ｓ３０１）。ここで入力された印影の画像データは、主記憶装置４０２に送出される。
【００６７】
次いで、ＣＰＵ４０１は、前記印影の画像データが記憶装置４０３の「印影用メモリ」に登録済みであるか否かを判断する（Ｓ３０２）。この判断が「ＹＥＳ」の場合は処理を終了し、「ＮＯ」の場合には前記印影の画像データを「印影用メモリ」に登録する（Ｓ３０３）。
【００６８】
ここで、Ｓ３０１〜Ｓ３０３は、請求項５、８、１１に記載の第１のステップに含まれる。
【００６９】
図７に示すように、文書ごとに画像データを蓄積するときには、まず、ＣＰＵ４０１は、第１の実施形態に準じ、前記「画像バッファ」を初期化する（Ｓ２０１）。
【００７０】
次いで、ＣＰＵ４０１は、第１の実施形態に準じ、一つの文書の全画像に対する画像処理が終了したか否かを判断する（Ｓ２０２）。この判断が「ＮＯ」の場合はＳ２０４に移り、「ＹＥＳ」の場合にはＳ２０３に移る。
【００７１】
Ｓ２０３では、第１の実施形態に準じ、記憶装置４０３の画像バッファに保持されている表紙を含む入力画像群を、一つの文書として記憶装置４０３の保存用メモリに蓄積する。
【００７２】
Ｓ２０４では、第１の実施形態に準じ、画像入力装置４０４により、処理対象の画像を入力する。
【００７３】
次いで、ＣＰＵ４０１は、第１の実施形態に準じ、Ｓ２０４で入力された画像が先頭頁か否かを判断する（Ｓ２０５）。この判断が「ＮＯ」の場合はＳ４０１に移り、「ＹＥＳ」の場合にはＳ２１２に移る。
【００７４】
Ｓ４０１では、記憶装置４０３の「印影用メモリ」に登録されている印影（以下、登録印影ともいう）の画像を入力する。ここで入力された印影の画像は主記憶装置４０２に送られる。
【００７５】
次いで、ＣＰＵ４０１は、Ｓ２０４で取得された入力画像から、Ｓ４０１で取得された登録印影の画像を識別する（Ｓ４０２）。具体的には、特開平１１‐１１０５６２号公報に開示されているパターン認識方法を用いる。
【００７６】
このパターン認識方法では、入力画像の複数の位置から画像の中心に向かってエッジの存在を調べ、前記複数の位置からエッジが検出されたとき、前記入力画像中に外形が円形であるパターンが存在していると判定し、前記パターンの画像のツェルニケ・モーメントを求め、このツェルニケ・モーメントにより前記パターンの画像の回転角度を検出し、前記パターンの画像の中心から複数の同心円上にある画像について、各円周について基点から順に配列した特徴量を算出し、各円周の特徴量と、この円周と同一半径である辞書内の各円周について基点から順に配列した特徴量との距離を算出するとき、先に検出された回転角度の近傍に相当する、前記辞書内のずらした位置から配列された特徴量を用いて前記各円周について距離を算出し、前記各円周について算出された距離の内、最小の距離を基に前記各円周の評価値を算出し、この評価値が所定の閾値以上である円周の個数が所定の閾値以上あるとき、前記入力画像中に、外形が円である特定パターンの画像（印影２２に相当する）が存在すると認識している。
【００７７】
次いで、ＣＰＵ４０１は、Ｓ４０３の識別結果によりＳ４０１で取得された登録印影が検出されたか否かを判断する（Ｓ４０３）。この判断が「ＮＯ」の場合はＳ２１０に移り、「ＹＥＳ」の場合にはＳ２０９に移る。
【００７８】
Ｓ２０９では、入力画像中に登録印影が検出されたことから、次の文書の表紙が入力されたと判断して、既に記憶装置４０３の画像バッファに保持されている表紙を含む入力画像群を、一つの文書として、記憶装置４０３の保存用メモリに蓄積する。
【００７９】
次いで、ＣＰＵ４０１は、記憶装置４０３の画像バッファ、保存用メモリを初期化する（Ｓ２１１）。
【００８０】
次いで、ＣＰＵ４０１は、Ｓ２０４で取得された入力画像を新たな文書の表紙画像として記憶装置４０３の画像バッファに保持する（Ｓ２１２）。
【００８１】
また、Ｓ２１０では、Ｓ４０１で取得された登録印影が入力画像中から検出されなかったために、表紙画像ではないと判断し、Ｓ２０４で取得された入力画像を記憶装置４０３の画像バッファに保持する。
【００８２】
ここで、Ｓ２０４は、請求項５、８、１１に記載の第２のステップに含まれる。Ｓ４０１〜Ｓ４０３は、請求項５、８、１１に記載の第３のステップに含まれる。Ｓ２０３、Ｓ２０９は、請求項５、８、１１に記載の第４のステップに含まれる。
【００８３】
以上のように、本発明の第２の実施形態に係る画像処理装置４００は、印影２２（所定の印影に含まれる）を予め登録するＣＰＵ４０１及び記憶装置４０３（印影登録手段に含まれる）と、印影２２が印された表紙２１ａ、２１ｂ、及び印影２２が印されていない複数の原稿を１部の文書２０ａ、２０ｂとするとき、複数部の文書２０ｃの画像を先頭から一つずつ入力する画像入力装置４０４（画像入力手段に含まれる）と、画像入力装置４０４により入力された入力画像に、記憶装置４０３に登録された印影２２が存在するか否かを判断するＣＰＵ４０１の機能（印影判断手段に含まれる）と、このＣＰＵ４０１の機能により記憶装置４０３に登録された印影２２が存在すると判断された場合に、当該入力画像の一つ前の入力画像との間で前記文書の画像を区切ることにより、前記複数部の文書の画像を１部ずつに分割するＣＰＵ４０１の機能（画像分割手段に含まれる）とを備えているので、例えば、表紙のみに特定の印を押捺すことにより、複数部の文書を一括して電子化し、文書ごとに蓄積することができる。
【００８４】
前述した実施形態では、Ｎ部の文書を文書ごとに蓄積するとき、１枚目の画像は第１部の先頭頁（表紙）とし、２枚目以降の画像から特定の印影（予め登録された印影）が検出されると、第２部の先頭頁（表紙）として、第１部の先頭頁から第２部の先頭頁の１頁前までの画像群を第１部の文書として保存用メモリに蓄積している。同様にして全画像に対する処理が終了すると、第Ｎ部の先頭頁から最終頁までを第Ｎ部として保存用メモリに蓄積している。このような一連の処理により、複数の原稿からなる複数部の文書を効率的に電子化して文書ごとに蓄積できる。
【００８５】
なお、前述した実施形態では、マル秘印の印影（マーク）を登録した場合について説明したが、本発明はこのほかに、日付印、担当者印、部署印、検査印などを登録しても同様の効果が得られるものである。
【００８６】
また、前述した実施形態では１種類の印影を登録した場合について説明したが、本発明はこのほかに、複数異種の印影を登録し、いずれかの登録印影が検出された場合に先頭頁と判断しても同様の効果が得られるものである。
【００８７】
また、前述した実施形態では表紙を含む入力画像群を文書ごとに画像処理装置４００の記憶装置４０３に記憶及び蓄積した場合について説明したが、本発明はこのほかに、ネットワークを介し、前記入力画像群を外部のサーバに記憶及び蓄積しても同様の効果が得られるものである。
【００８８】
［第３の実施形態］
本発明の第３の実施形態に係る画像処理装置は、主記憶装置４０２（または、記憶装置４０３）に「天地状態設定フラグ」を有する点を除き、第１の実施形態と概ね同様の構成を有しているため、図１を用いるとともに、同一構成には同一符号を付与して説明を省略する。ここでは、図８のように、１部の文書３０ａ、３０ｂがそれぞれ複数枚の原稿からなり、それぞれの原稿の左端側には縦に並んだ二つのパンチ穴が開けられている。この天地方向にあるときの積載状態を「天地正状態」とし、この天地正状態から天地を逆にした状態を「天地逆状態」とする。前記「天地状態設定フラグ」には、「正状態フラグ」と「逆状態フラグ」とを有し、文書が「天地正状態」となるように重なっているときは「正状態フラグ」が「ＯＮ」となり、文書が「天地逆状態」となるように重なっているときは「逆状態フラグ」が「ＯＮ」となるようにしている。文書先頭の表紙３１ａ、３１ｂには共通の印が押捺され、印影３２が印されている。文書２０ｃは、文書３０ａ、３０ｂを含む複数部の文書が１部ごとに天地を逆転して重ねられたものであり、前記ＡＤＦによって給紙されるようになっている。
【００８９】
図９は、本発明の第３の実施形態に係る画像処理プログラムの概略を示す。この画像処理プログラムは、ＣＰＵ４０１（コンピュータ装置に含まれる）に、図９に示すステップを実行させるものである。なお、第１の実施形態（図３、図４に示す）と同一ステップには、同一符号を付与して説明を簡略にする。
【００９０】
まず、ＣＰＵ４０１は、前記「画像バッファ」、前記「天地状態設定フラグ」を初期化する（Ｓ５０１）。
【００９１】
次いで、ＣＰＵ４０１は、「天地正状態」でのパンチ穴の位置（ここでは、左端側）を示すパンチ穴データを主記憶装置４０２（または、記憶装置４０３）の所定領域に設定する（Ｓ５０２）。
【００９２】
次いで、ＣＰＵ４０１は、第１の実施形態に準じ、一つの文書の全画像に対する画像処理が終了したか否かを判断する（Ｓ２０２）。この判断が「ＮＯ」の場合はＳ２０４に移り、「ＹＥＳ」の場合にはＳ５０３に移る。
【００９３】
Ｓ２０４では、第１の実施形態に準じ、画像入力装置４０４により、処理対象の画像を入力する。
【００９４】
次いで、ＣＰＵ４０１は、第１の実施形態に準じ、Ｓ２０４で入力された画像が先頭頁か否かを判断する（Ｓ２０５）。この判断が「ＮＯ」の場合はＳ５０４に移り、「ＹＥＳ」の場合にはＳ５０３に移る。
【００９５】
Ｓ５０４では、Ｓ２０４で取得された入力画像におけるパンチ穴位置を検出する。具体的には、特開平６‐１３３１１６号公報に開示されている後処理方法を用いる。この後処理方法では、画像情報頁領域内のパンチ穴（または、ステープル穴）を検出するパンチ穴検出工程（または、ステープル穴検出工程）と、検出されたパンチ穴（または、ステープル穴）のデータから画像情報の画像方向（天地方向に相当する）を認識する認識工程とを実行している。Ｓ５０４で検出されたパンチ穴位置のデータは主記憶装置４０２に送られる。
【００９６】
次いで、ＣＰＵ４０１は、既に設定されている「天地状態設定フラグ」と、Ｓ５０４で検出されたパンチ穴位置による天地状態とが同一であるか否かを判断する（Ｓ５０５）。この判断が「ＹＥＳ」の場合はＳ５０６に移り、「ＮＯ」の場合には、Ｓ２０４で取得された入力画像が次文書の表紙画像であることが判明したためにＳ２０９に移る。
【００９７】
Ｓ５０６では、さらにＳ５０４で取得されたパンチ穴データにより、Ｓ２０４で取得された画像が「天地正状態」であるか否かを判断する。この判断が「ＹＥＳ」の場合は、Ｓ２１０に移り、「ＮＯ」の場合には、Ｓ５０７に移る。Ｓ５０７では、Ｓ２０４で取得された画像が「天地逆状態」であることが判明したために、画像方向を「天地正状態」となるように画像処理を施す。Ｓ２１０では、既に記憶装置４０３の画像バッファに保持されている入力画像群に、Ｓ２０４で取得された画像を加えて保持する。
【００９８】
Ｓ２０９では、記憶装置４０３の画像バッファに保持されている入力画像群を、一つの文書として記憶装置４０３の保存用メモリに蓄積する。
【００９９】
次いで、ＣＰＵ４０１は、第１の実施形態に順じ、記憶装置４０３の画像バッファ、保存用メモリを初期化する（Ｓ２１１）。
【０１００】
次いで、ＣＰＵ４０１は、既に設定されている「天地状態設定フラグ」を変更して設定する（Ｓ５０８）。具体的には、「正状態フラグ」が設定されている場合は「逆状態フラグ」に変更し、「逆状態フラグ」が設定されている場合は「正状態フラグ」に変更する。これは、Ｓ２０４で取得された入力画像の「天地状態」が既設定の天地状態と異なる（Ｓ５０５の「ＮＯ」）と判断されたためである。
【０１０１】
次いで、ＣＰＵ４０１は、Ｓ５０４で取得されたパンチ穴データにより、Ｓ２０４で取得された画像が「天地正状態」であるか否かを判断する。この判断が「ＹＥＳ」の場合は、Ｓ２１２に移り、「ＮＯ」の場合には、Ｓ５１０に移る。
【０１０２】
Ｓ２１２では、第１の実施形態に順じ、Ｓ２０４で取得された入力画像を新たな文書の表紙画像として記憶装置４０３の画像バッファに保持する。
【０１０３】
Ｓ５１０では、Ｓ２０４で取得された画像が「天地逆状態」であることが判明したために、画像方向を「天地正状態」となるように画像処理を施す。この画像処理が施された入力画像は、前述したように記憶装置４０３の画像バッファに保持される。
【０１０４】
ここで、Ｓ２０４は、請求項６、９、１２に記載の第１のステップに含まれる。Ｓ５０４は、請求項６、９、１２に記載の第２のステップに含まれる。Ｓ５０５は、請求項６、９、１２に記載の第３のステップに含まれる。Ｓ２０３、Ｓ２０９、Ｓ５０６、Ｓ５０７、Ｓ５０９、Ｓ５１０は、請求項６、９、１２に記載の第４のステップに含まれる。
【０１０５】
以上のように、本発明の第３の実施形態に係る画像処理装置４００は、原稿の左側（所定の位置に含まれる）にパンチ穴３２（穴に含まれる）が開くか、または所定の位置が欠切された表紙、及び、表紙３１ａ、３１ｂのパンチ穴３２と同一位置にパンチ穴が開くか、または前記表紙の切欠位置と同一位置が欠切された複数の原稿を１部の文書３０ａ、３０ｂとするとき、文書ごとに天地方向が逆転された複数部の文書の画像を先頭から一つずつ入力する画像入力装置４０４（画像入力手段に含まれる）と、画像入力装置４０４により入力された入力画像のパンチ穴３２または前記切欠の位置を検出するＣＰＵ４０１の機能（検出手段に含まれる）と、このＣＰＵ４０１の機能により検出された第１の入力画像のパンチ穴３２または前記切欠の位置と、ＣＰＵ４０１の機能により検出された第２の入力画像のパンチ穴３２または前記切欠の位置とが同一であるか否かを判断するＣＰＵ４０１の機能（位置判断手段に含まれる）と、このＣＰＵ４０１の機能により、第１の入力画像（「Ｎ−１」部目の文書の最終頁の入力画像に相当する）のパンチ穴３２または前記切欠の位置と、第２の入力画像（Ｎ部目の文書の表紙の入力画像に相当する）のパンチ穴３２または前記切欠の位置とが異なると判断された場合に、第２の入力画像の一つ前の入力画像との間（前記表紙と前記最終頁との間）で前記文書の画像を区切ることにより、前記複数部の文書の画像を１部ずつに分割するＣＰＵ４０１の機能（画像分割手段に含まれる）とを備えているので、例えば、パンチ穴の開いた文書ごとに天地方向を逆転して重ねた複数部の文書を一括して電子化し、文書ごとに蓄積することができる。
【０１０６】
前述した実施形態では、Ｎ部の文書を文書ごとに蓄積するとき、１枚目の画像は第１部の先頭頁（表紙）とし、２枚目以降の画像の天地方向が直前の画像の天地方向と異なる場合は、第２部の先頭頁（表紙）として、第１部の先頭頁から第２部の先頭頁の１頁前までの画像群を第１部の文書として保存用メモリに蓄積している。同様にして全画像に対する処理が終了すると、第Ｎ部の先頭頁から最終頁までを第Ｎ部として保存用メモリに蓄積している。このような一連の処理により、複数の原稿からなる複数部の文書を効率的に電子化して文書ごとに蓄積できる。
【０１０７】
なお、前述した実施形態ではパンチ穴の位置により画像の天地方向（ここでは、天地状態に相当する）を識別した場合について説明したが、本発明はこのほかに、文書を構成する原稿の一部を欠切し、切欠位置によって画像の向きを識別しても同様の効果が得られるものである。あるいは、ステープル穴の位置により画像の向きを識別しても同様の効果が得られるものである。
【０１０８】
また、前述した実施形態では表紙を含む入力画像群を文書ごとに画像処理装置４００の記憶装置４０３に記憶及び蓄積した場合について説明したが、本発明はこのほかに、ネットワークを介し、前記入力画像群を外部のサーバに記憶及び蓄積しても同様の効果が得られるものである。
【０１０９】
【発明の効果】
以上説明したように、本発明は、所定の帳票フォーマットにより作成された表紙、及び前記所定の帳票フォーマットを除くフォーマットにより作成された複数の原稿を１部の文書として複数部の文書の画像を入力し、入力された入力画像が、帳票フォーマット登録手段（ＣＰＵ、記憶装置を含む）に登録された帳票フォーマットによる帳票の画像であると判断された場合に、当該入力画像の直前で入力画像群を区切ることにより、表紙が所定の帳票である複数部の文書を容易に電子化し、文書ごとに蓄積できるという優れた効果を有する画像処理装置を提供することができるものである。
【図面の簡単な説明】
【図１】本発明の第１の実施形態に係る画像処理装置の構成を示すブロック図である。
【図２】本発明の第１の実施形態に係る画像処理対象を説明する図である。
【図３】本発明の第１の実施形態に係る画像処理（帳票フォーマット登録）プログラムを示すフローチャートである。
【図４】本発明の第１の実施形態に係る画像処理（画像蓄積）プログラムを示すフローチャートである。
【図５】本発明の第２の実施形態に係る画像処理対象を説明する図である。
【図６】本発明の第２の実施形態に係る画像処理（印影登録）プログラムを示すフローチャートである。
【図７】本発明の第２の実施形態に係る画像処理（画像蓄積）プログラムを示すフローチャートである。
【図８】本発明の第３の実施形態に係る画像処理対象を説明する図である。
【図９】本発明の第３の実施形態に係る画像処理プログラムを示すフローチャートである。
【符号の説明】
４０１  ＣＰＵ
４０２  主記憶装置
４０３  記憶装置
４０４  画像入力装置
４０５  ＣＤ‐ＲＯＭドライブ
４０６  出力装置
４０７  ＣＤ‐ＲＯＭ
４０８  入力装置
４０９  ネットワーク接続装置
４１０  バス
【図１】
2004280654.tif 000003
【図２】
2004280654.tif 000004
【図３】
2004280654.tif 000005
【図４】
2004280654.tif 000006
【図５】
2004280654.tif 000007
【図６】
2004280654.tif 000008
【図７】
2004280654.tif 000009
【図８】
2004280654.tif 000010
【図９】
2004280654.tif 000011